(57)【要約】【課題】画像表示品質を犠牲にすることなくプラズマディスプレイ装置のデータ電極駆動回路の消費電力を削減する。【解決手段】駆動回路は、赤と緑と青との各色の画像信号Ｓ１０ｒ、Ｓ１０ｇ、Ｓ１０ｂのそれぞれにローパスフィルタ処理を施すローパスフィルタ回路４１と、各色の画像信号のそれぞれに対して、ローパスフィルタ処理を施した画像信号Ｓ３０ｒ、Ｓ３０ｇ、Ｓ３０ｂとローパスフィルタ処理を施さない画像信号Ｓ２０ｒ、Ｓ２０ｇ、Ｓ２０ｂとを、各色の混合係数Ｋｒ、Ｋｇ、Ｋｂのうちの対応する色の混合係数に基づき混合する混合回路４２とを有し、混合回路４２は、各色の画像信号Ｓ２０ｒ、Ｓ２０ｇ、Ｓ２０ｂのそれぞれを比較して最大値を選択し、最大値に基づき各色の混合係数Ｋｒ、Ｋｇ、Ｋｂを設定する混合係数設定部５６とを有する。【選択図】図５
2011145429.tif 000002
【特許請求の範囲】
【請求項１】
行方向に長い表示電極対と列方向に長いデータ電極とが交差する位置に放電セルを形成し、赤に発光する蛍光体層が設けられた前記放電セルと緑に発光する蛍光体層が設けられた前記放電セルと青に発光する蛍光体層が設けられた前記放電セルとで１つの画素を構成したプラズマディスプレイパネルと、書込み期間を有する複数のサブフィールドで１つのフィールドを構成するとともに前記プラズマディスプレイパネルの各電極に印加する駆動電圧波形を発生する駆動回路とを備えたプラズマディスプレイ装置であって、
前記駆動回路は、
赤と緑と青との各色の画像信号のそれぞれにローパスフィルタ処理を施すローパスフィルタ回路と、
前記各色の画像信号のそれぞれに対して、前記ローパスフィルタ処理を施した画像信号とローパスフィルタ処理を施さない画像信号とを、各色の混合係数に基づき混合する混合回路とを有し、
前記混合回路は、
前記各色の画像信号のそれぞれを比較して最大値を選択し、前記最大値に基づき前記各色の混合係数を設定する混合係数設定部とを有することを特徴とするプラズマディスプレイ装置。
【請求項２】
行方向に長い表示電極対と列方向に長いデータ電極とが交差する位置に放電セルを形成し、赤に発光する蛍光体層が設けられた前記放電セルと緑に発光する蛍光体層が設けられた前記放電セルと青に発光する蛍光体層が設けられた前記放電セルとで１つの画素を構成したプラズマディスプレイパネルと、書込み期間を有する複数のサブフィールドで１つのフィールドを構成するとともに前記プラズマディスプレイパネルの各電極に印加する駆動電圧波形を発生する駆動回路とを備えたプラズマディスプレイ装置であって、
前記駆動回路は、
赤と緑と青との各色の画像信号のそれぞれにローパスフィルタ処理を施すローパスフィルタ回路と、
前記各色の画像信号のそれぞれに対して、前記ローパスフィルタ処理を施した画像信号とローパスフィルタ処理を施さない画像信号とを、各色の混合係数に基づき混合する混合回路とを有し、
前記混合回路は、
前記各色の画像信号のそれぞれに対して、ローパスフィルタ処理を施した画像信号とローパスフィルタ処理を施さない画像信号との差分を算出し、前記差分の最大値に基づき前記各色の混合係数を設定する混合係数設定部とを有することを特徴とするプラズマディスプレイ装置。
【請求項３】
前記ローパスフィルタ回路は、前記各色の画像信号とのそれぞれに対して、同じデータ電極を共有し前記書込み期間において連続して書込み動作を行う３つの放電セルで表示する３つの画像信号の中央値を選択する中央値選択部を有することを特徴とする請求項１または請求項２のいずれかに記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
ディスプレイパネルとして代表的なプラズマディスプレイパネル（以下、単に「パネル」とも略記する）は、対向配置された前面基板と背面基板との間に多数の放電セルが形成されている。前面基板には１対の走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との交差する部分に放電セルが形成される。
【０００３】
プラズマディスプレイパネルを駆動する方法としてはサブフィールド法、すなわち、１フィールド期間を複数のサブフィールドで構成した上で、放電セルを発光させるサブフィールドの組合せによって階調表示を行う方法が一般的である。各サブフィールドは、初期化期間、書込み期間および維持期間を有する。初期化期間では初期化放電を発生し、続く書込み動作に必要な壁電荷を各電極上に形成する。書込み期間では、走査電極に走査パルスを印加するとともにデータ電極に選択的に書込みパルスを印加して放電セルで書込み放電を発生させ壁電荷を形成する書込み動作を行う。そして維持期間では表示電極対に交互に維持パルスを印加し、書込み放電を発生させた放電セルで維持放電を発生させて発光させることにより画像を表示する。
【０００４】
プラズマディスプレイ装置は、走査電極を駆動するための走査電極駆動回路、維持電極を駆動するための維持電極駆動回路、データ電極を駆動するためのデータ電極駆動回路を備え、各電極の駆動回路はそれぞれの電極に必要な駆動電圧波形を印加する。この中で、データ電極駆動回路は画像信号に基づいて多数のデータ電極毎に独立に書込み動作のための書込みパルスを印加する。
【０００５】
データ電極駆動回路側からパネルを見ると、各データ電極は隣接するデータ電極、走査電極および維持電極との間の浮遊容量をもつ容量性の負荷である。したがって各データ電極に駆動電圧波形を印加するためにはこの容量を充放電しなければならず、そのための消費電力が必要となる。
【０００６】
データ電極駆動回路の消費電力はデータ電極のもつ容量の充放電電流が増えると増大するが、この充放電電流は表示する画像信号に大きく依存している。例えばデータ電極に書込みパルスを一度も印加しない場合には充放電電流は「０」となるので消費電力も最小となる。逆にデータ電極に書込みパルスの電圧を印加し続ける場合も充放電電流は「０」となるので消費電力も小さい。ところが、データ電極に書込みパルスをランダムに印加する場合には充放電電流は大きくなり消費電力も大きなものとなる。
【０００７】
そこで、データ電極駆動回路の消費電力を削減する方法として、例えば画像信号に基づきデータ電極駆動回路の消費電力を算出し、消費電力が大きい場合には、輝度重みの最も小さいサブフィールドから書込み動作を禁止してデータ電極駆動回路の消費電力を制限する方法等が提案されている（例えば、特許文献１参照）。あるいは、もとの画像信号を、データ電極駆動回路の消費電力の小さくなる画像信号に置き換えてデータ電極駆動回路の消費電力を下げる方法等が開示されている（例えば、特許文献２参照）。
【先行技術文献】
【特許文献】
【０００８】
【特許文献１】特開２０００−６６６３８号公報
【特許文献２】特開２００２−１４９１０９号公報
【発明の概要】
【発明が解決しようとする課題】
【０００９】
しかしながら上記特許文献１、２に記載の方法は、消費電力が増加しすぎた場合に、プラズマディスプレイ装置を破壊から守るために主に使用され、画像の表示品質を大きく損なうおそれがあった。
【００１０】
加えて、近年は大画面化、高精細化にともない、データ電極駆動回路の消費電力が定常的に増加する傾向にある。そのため、画像表示品質を犠牲にすることなく定常的に使用できる電力削減方法が望まれていた。
【００１１】
本発明はこれらの課題に鑑みなされたものであり、画像表示品質を犠牲にすることなくデータ電極駆動回路の消費電力を削減したプラズマディスプレイ装置を提供することを目的とする。
【課題を解決するための手段】
【００１２】
上記目的を達成するために本発明は、行方向に長い表示電極対と列方向に長いデータ電極とが交差する位置に放電セルを形成し、赤に発光する蛍光体層が設けられた放電セルと緑に発光する蛍光体層が設けられた放電セルと青に発光する蛍光体層が設けられた放電セルとで１つの画素を構成したプラズマディスプレイパネルと、書込み期間を有する複数のサブフィールドで１つのフィールドを構成するとともにプラズマディスプレイパネルの各電極に印加する駆動電圧波形を発生する駆動回路とを備えたプラズマディスプレイ装置であって、駆動回路は、赤と緑と青との各色の画像信号のそれぞれにローパスフィルタ処理を施すローパスフィルタ回路と、各色の画像信号のそれぞれに対して、ローパスフィルタ処理を施した画像信号とローパスフィルタ処理を施さない画像信号とを、各色の混合係数に基づき混合する混合回路とを有し、混合回路は、各色の画像信号のそれぞれを比較して最大値を選択し、最大値に基づき各色の混合係数を設定する混合係数設定部とを有することを特徴とする。この構成により、画像表示品質を犠牲にすることなくデータ電極駆動回路の消費電力を削減したプラズマディスプレイ装置を提供することができる。
【００１３】
また本発明は、行方向に長い表示電極対と列方向に長いデータ電極とが交差する位置に放電セルを形成し、赤に発光する蛍光体層が設けられた放電セルと緑に発光する蛍光体層が設けられた放電セルと青に発光する蛍光体層が設けられた放電セルとで１つの画素を構成したプラズマディスプレイパネルと、書込み期間を有する複数のサブフィールドで１つのフィールドを構成するとともにプラズマディスプレイパネルの各電極に印加する駆動電圧波形を発生する駆動回路とを備えたプラズマディスプレイ装置であって、駆動回路は、赤と緑と青との各色の画像信号のそれぞれにローパスフィルタ処理を施すローパスフィルタ回路と、各色の画像信号のそれぞれに対して、ローパスフィルタ処理を施した画像信号とローパスフィルタ処理を施さない画像信号とを、各色の混合係数に基づき混合する混合回路とを有し、混合回路は、各色の画像信号のそれぞれに対して、ローパスフィルタ処理を施した画像信号とローパスフィルタ処理を施さない画像信号との差分を算出し、差分の最大値に基づき各色の混合係数を設定する混合係数設定部とを有することを特徴とする。この構成によっても、画像表示品質を犠牲にすることなくデータ電極駆動回路の消費電力を削減したプラズマディスプレイ装置を提供することができる。
【００１４】
また本発明のプラズマディスプレイ装置のローパスフィルタ回路は、各色の画像信号とのそれぞれに対して、同じデータ電極を共有し書込み期間において連続して書込み動作を行う３つの放電セルで表示する３つの画像信号の中央値を選択する中央値選択部を有することが望ましい。
【発明の効果】
【００１５】
本発明によれば、画像表示品質を犠牲にすることなくデータ電極駆動回路の消費電力を削減したプラズマディスプレイ装置を提供することが可能となる。
【図面の簡単な説明】
【００１６】
【図１】本発明の実施の形態１におけるプラズマディスプレイ装置のパネルの分解斜視図である。
【図２】同プラズマディスプレイ装置のパネルの電極配列図である。
【図３】同プラズマディスプレイ装置のパネルの各電極に印加する駆動電圧波形を示す図である。
【図４】同プラズマディスプレイ装置の回路ブロック図である。
【図５】同プラズマディスプレイ装置の画像信号処理回路の回路ブロック図である。
【図６】同プラズマディスプレイ装置のＬＰＦ回路の動作を説明する図である。
【図７】同プラズマディスプレイ装置の混合係数設定部の回路ブロック図である。
【図８Ａ】同プラズマディスプレイ装置の混合回路の動作の説明図である。
【図８Ｂ】同プラズマディスプレイ装置の混合回路の動作の説明図である。
【図９】本発明の実施の形態２におけるプラズマディスプレイ装置の混合係数設定部の回路ブロック図である。
【図１０Ａ】同プラズマディスプレイ装置の混合回路の動作の説明図である。
【図１０Ｂ】同プラズマディスプレイ装置の混合回路の動作の説明図である。
【発明を実施するための形態】
【００１７】
以下、本発明の実施の形態におけるプラズマディスプレイ装置について、図面を用いて説明する。
【００１８】
（実施の形態１）
図１は、本発明の実施の形態１におけるプラズマディスプレイ装置のパネル１０の分解斜視図である。ガラス製の前面基板１１上には、走査電極１２と維持電極１３とからなる表示電極対１４が複数形成されている。そして走査電極１２と維持電極１３とを覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色に発光する蛍光体層２５Ｒ、緑色に発光する蛍光体層２５Ｇおよび青色に発光する蛍光体層２５Ｂが設けられている。
【００１９】
これらの前面基板１１と背面基板２１とは、微小な放電空間を挟んで表示電極対１４とデータ電極２２とが交差するように対向配置され、その外周部をガラスフリット等の封着材によって封着されている。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。ここで、赤色に発光する蛍光体層２５Ｒが設けられた放電セル、緑色に発光する蛍光体層２５Ｇが設けられた放電セル、青色に発光する蛍光体層２５Ｂが設けられた放電セルが１組で１つの画素を構成している。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態１におけるプラズマディスプレイ装置のパネル１０の電極配列図である。パネル１０には、行方向に長い複数本の走査電極１２および同数本の維持電極１３が配列され、列方向に長い複数本のデータ電極２２が配列されている。そして、１対の走査電極１２および維持電極１３からなる表示電極対１４と１本のデータ電極２２とが交差する位置に放電セルが形成されている。こうして複数の放電セルは、複数の画素行および複数の画素列が形成されるように行列状に配置されている。
【００２２】
このように配列された電極間には電極間容量が存在する。例えば１本のデータ電極２２に注目すると、対向する複数本の走査電極１２および維持電極１３との間に容量が存在し、隣接するデータ電極２２との間にも容量が存在する。このようにデータ電極２２は駆動回路から見ると容量性の負荷である。
【００２３】
次に、パネル１０を駆動するための駆動電圧波形とその動作について説明する。本実施の形態においては、１フィールドを１０のサブフィールド（ＳＦ１、ＳＦ２、・・・、ＳＦ９、ＳＦ１０）に分割し、各サブフィールドはそれぞれ（１、２、３、６、１１、１８、３０、４４、６０、８１）の輝度重みをもつものとして説明する。しかし、本発明は、サブフィールド数、輝度重みが上記に限定されるものではない。
【００２４】
各サブフィールドは初期化期間、書込み期間、維持期間を有する。図３は、本発明の実施の形態１におけるプラズマディスプレイ装置のパネル１０の各電極に印加する駆動電圧波形を示す図である。図３には３つのサブフィールドＳＦ１〜ＳＦ３に対する駆動電圧波形を示しているが、他のサブフィールドにおける駆動電圧波形もほぼ同様である。
【００２５】
サブフィールドＳＦ１の初期化期間では、データ電極２２および維持電極１３に電圧０（Ｖ）を印加するとともに、走査電極１２に電圧Ｖｉ１から電圧Ｖｉ２に向かって緩やかに上昇するランプ電圧を印加する。その後、維持電極１３に電圧Ｖｅ１を印加するとともに、走査電極１２に電圧Ｖｉ３から電圧Ｖｉ４に向かって緩やかに下降するランプ電圧を印加する。すると各放電セルで微弱な初期化放電が発生し、続く書込み動作に必要な壁電荷を各電極上に形成する。
【００２６】
なお、初期化期間の動作としては、サブフィールドＳＦ２、ＳＦ３の初期化期間に示したように、走査電極１２に対して緩やかに下降するランプ電圧を印加するだけでもよい。
【００２７】
続く書込み期間では、維持電極１３に電圧Ｖｅ２を、走査電極１２に電圧Ｖｃをそれぞれ印加する。次に、１行目の走査電極１２に走査パルス電圧Ｖａを印加するとともに、発光すべき放電セルに対応するデータ電極２２に書込みパルス電圧Ｖｄを印加する。すると走査パルス電圧Ｖａと書込みパルス電圧Ｖｄとが同時に印加された１行目の放電セルでは書込み放電が発生し、放電セルの走査電極１２上および維持電極１３上に壁電荷を蓄積する書込み動作が行われる。
【００２８】
次に、２行目の走査電極１２に走査パルス電圧Ｖａを印加するとともに、発光すべき放電セルに対応するデータ電極２２に書込みパルス電圧Ｖｄを印加する。すると走査パルス電圧Ｖａと書込みパルス電圧Ｖｄとが同時に印加された２行目の放電セルでは書込み放電が発生して書込み動作が行われる。以上の書込み動作を全ての行の放電セルに至るまで順次繰り返し、発光すべき放電セルに対して選択的に書込み放電を発生させ壁電荷を形成する。
【００２９】
なお上述したように、各データ電極２２は容量性の負荷である。したがって書込み期間において、各データ電極に印加する電圧を電圧０（Ｖ）から書込みパルス電圧Ｖｄへ、あるいは書込みパルス電圧Ｖｄから電圧０（Ｖ）へ切り換える毎にこの容量を充放電しなければならない。そしてその充放電の回数が多いと、後述するデータ電極駆動回路の消費電力も多くなる。
【００３０】
続く維持期間では、維持電極１３に電圧０（Ｖ）を印加するとともに、走査電極１２に維持パルス電圧Ｖｓを印加する。すると、書込み放電を起こした放電セルでは維持放電が起こり発光する。
【００３１】
次に、走査電極１２に電圧０（Ｖ）を印加するとともに、維持電極１３に維持パルス電圧Ｖｓを印加する。すると維持放電を起こした放電セルでは再び維持放電が起こり発光する。以降、輝度重みに応じた維持パルスを走査電極１２と維持電極１３とに交互に印加して、放電セルを発光させる。
【００３２】
そして、維持期間の最後には電圧Ｖｒに向かって緩やかに上昇するランプ電圧を走査電極１２に印加して、データ電極２２上の正の壁電圧を残したまま、走査電極１２上および維持電極１３上の壁電圧を弱める。こうして維持期間における維持動作が終了する。
【００３３】
続くサブフィールドＳＦ２〜ＳＦ１０においても維持パルス数を除いてサブフィールドＳＦ１と同様の動作を行う。このようにして、あらかじめ輝度重みの定められた複数のサブフィールドで１フィールド期間を構成し、放電セルを発光させるサブフィールドを組合せて階調を表示している。
【００３４】
図４は、本発明の実施の形態１におけるプラズマディスプレイ装置３０の回路ブロック図である。プラズマディスプレイ装置３０はパネル１０と駆動回路とを備え、駆動回路は、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００３５】
画像信号処理回路３１は、赤の画像信号、緑の画像信号、青の画像信号を入力し、それぞれの画像信号に対してデータ電極の消費電力が小さくなる信号処理を施すとともに、サブフィールドのそれぞれにおける発光・非発光をデジタル信号のそれぞれのビットの「１」、「０」に対応させた赤の画像データ、緑の画像データ、青の画像データを出力する。なお詳細は後述するが、赤の画像信号、緑の画像信号、青の画像信号のそれぞれに対して信号処理を施す。したがって１つの色を決めると、１つの画素というのは１つの放電セルに対応する。
【００３６】
データ電極駆動回路３２は、複数本のデータ電極２２のそれぞれに書込みパルス電圧Ｖｄまたは電圧０（Ｖ）を印加するための複数個のスイッチ回路３９を備えている。そして画像信号処理回路３１から出力された各色の画像データを各データ電極２２に対応する書込みパルスに変換し、各データ電極２２に印加する。
【００３７】
タイミング発生回路３５は水平同期信号、垂直同期信号をもとにして各回路の動作を制御する各種のタイミング信号を発生し、それぞれの回路へ供給する。走査電極駆動回路３３はタイミング信号に基づいて各走査電極１２に印加する駆動電圧波形を発生する。維持電極駆動回路３４はタイミング信号に基づいて維持電極１３に印加する駆動電圧波形を発生する。
【００３８】
図５は、本発明の実施の形態１におけるプラズマディスプレイ装置３０の画像信号処理回路３１の回路ブロック図である。以下、赤の画像信号およびその信号処理を行う回路ブロックを明示する場合には添え字ｒを、緑の画像信号およびその信号処理を行う回路ブロック明示する場合には添え字ｇを、青の画像信号およびその信号処理を行う回路ブロック明示する場合には添え字ｂをそれぞれ付して表記する。
【００３９】
画像信号処理回路３１は、ローパスフィルタ回路４１（以下、「ＬＰＦ回路４１」と略記する）、混合回路４２、画像データ変換回路４３を有する。ＬＰＦ回路４１は表示画像の空間周波数の高周波成分を抑制する。本実施の形態においては、赤の画像信号Ｓ１０ｒを入力し、表示画像の垂直方向の高周波成分のみを抑制するローパスフィルタ処理（以下、「ＬＰＦ処理」と略記する）を施して画像信号Ｓ３０ｒを出力する。緑の画像信号Ｓ１０ｇ、青の画像信号Ｓ１０ｂについても同様である。混合回路４２は、ＬＰＦ処理を施さない赤の画像信号Ｓ２０ｒとＬＰＦ処理を施した赤の画像信号Ｓ３０ｒとを赤の混合係数Ｋｒに基づき混合した画像信号Ｓ４０ｒを出力する。緑の画像信号Ｓ２０ｇ、Ｓ３０ｇ、青の画像信号Ｓ２０ｂ、Ｓ３０ｂについても同様である。各色の混合係数Ｋは詳細は後述するが、画像信号に基づき画素毎に決定する。画像データ変換回路４３は、混合回路４２から出力された画像信号Ｓ４０ｒ、Ｓ４０ｇ、Ｓ４０ｂを入力して、サブフィールドのそれぞれにおける発光・非発光を示す画像データＳ５０を出力する。このような画像データ変換回路４３は、例えばＲＯＭ等を用いた変換テーブル４３ｒ、４３ｇ、４３ｂを用いて構成することができる。
【００４０】
赤の画像信号Ｓ１０ｒに対するＬＰＦ回路４１は、１Ｈ遅延部５１ｒ、１Ｈ遅延部５２ｒ、中央値選択部５３ｒ、平均算出部５４ｒを有する。１Ｈ遅延部５１ｒは、入力した画像信号Ｓ１０ｒを１水平帰線期間だけ遅延して画像信号Ｓ２０ｒを出力する。１Ｈ遅延部５２ｒは、入力した画像信号Ｓ２０ｒをさらに１水平帰線期間だけ遅延して画像信号Ｓ２１ｒを出力する。中央値選択部５３ｒは、画像信号Ｓ１０ｒと画像信号Ｓ２０ｒと画像信号Ｓ２１ｒとを入力し、それぞれを比較して中央値（メジアン値）を出力する。平均算出部５４ｒは、中央値選択部５３ｒから出力された画像信号と画像信号Ｓ２０ｒとの平均値を計算し、画像信号３０ｒとして出力する。ここで、画像信号Ｓ２０ｒは、ＬＰＦ処理を施さない画像信号であり、画像信号Ｓ３０ｒはＬＰＦ処理を施した画像信号である。
【００４１】
緑の画像信号Ｓ１０ｇ、青の画像信号Ｓ１０ｂに対するＬＰＦ回路４１の構成ついても同様である。
【００４２】
図６は、本発明の実施の形態１におけるプラズマディスプレイ装置３０のＬＰＦ回路４１の動作を説明する図である。本実施の形態においては、上述したように書込み期間において１行目の放電セル、２行目の放電セル、３行目の放電セル、・・・の順に順次書込み動作を行っている。したがって、中央値選択部５３ｒは、同じデータ電極を共有し、書込み期間において連続して書込み動作を行う３つの放電セルで表示する３つの赤の画像信号の中央値を選択する。すなわち、赤の画像信号Ｓ２０ｒを表示する画素に注目すると、画像信号Ｓ２１ｒを表示する画素は注目画素の１画素上の画素であり、画像信号Ｓ１０ｒを表示する画素は注目画素の１画素下の画素である。そして中央値選択部５３ｒは、注目画素の画像信号Ｓ２０ｒと、その上の画素の画像信号Ｓ２１ｒと、その下の画素の画像信号Ｓ１０ｒとを比較して中央値を出力する。
【００４３】
平均算出部５４ｒは、中央値選択部５３ｒの出力と注目画素の画像信号Ｓ２０ｒとの平均値を計算してＬＰＦ処理を施した画像信号Ｓ３０ｒとして出力する。したがって、注目画素で表示する画像信号Ｓ２０ｒが画像信号Ｓ２１ｒおよび画像信号Ｓ１０ｒよりも大きい場合には、中央値選択部５３ｒは、上および下の画素で表示する画像信号の大きいほうを選択し、平均算出部５４ｒは、中央値選択部５３ｒの出力と注目画素の画像信号Ｓ２０ｒとの平均値を計算する。その結果、ＬＰＦ処理を施した画像信号Ｓ３０ｒはＬＰＦ処理を施さない画像信号Ｓ２０ｒよりも小さい値になる。
【００４４】
また、注目画素で表示する画像信号Ｓ２０ｒが画像信号Ｓ２１ｒおよび画像信号Ｓ１０ｒの間の値となる場合には、中央値選択部５３ｒは画像信号Ｓ２０ｒを選択する。したがって平均算出部５４ｒは画像信号Ｓ２０ｒを出力するので、ＬＰＦ処理を施した画像信号Ｓ３０ｒはＬＰＦ処理を施さない画像信号Ｓ２０ｒに等しい。
【００４５】
また、注目画素で表示する画像信号Ｓ２０ｒが画像信号Ｓ２１ｒおよび画像信号Ｓ１０ｒよりも小さい場合には、中央値選択部５３ｒは上および下の画素で表示する画像信号の小さいほうを選択し、平均算出部５４ｒは中央値選択部５３ｒの出力と注目画素の画像信号Ｓ２０ｒとの平均値を計算する。その結果、ＬＰＦ処理を施した画像信号Ｓ３０ｒはＬＰＦ処理を施さない画像信号Ｓ２０ｒよりも大きい値になる。
【００４６】
このように、本実施の形態におけるＬＰＦ回路４１の出力する画像信号Ｓ３０ｒは、画像信号Ｓ２０ｒが画像信号Ｓ２１ｒおよび画像信号Ｓ１０ｒの間の値をとる場合には画像信号Ｓ２０ｒに等しい。
【００４７】
緑の画像信号Ｓ１０ｇ、青の画像信号Ｓ１０ｂについても同様である。
【００４８】
大雑把に言えば、表示画像の空間周波数の高調波成分を抑制するとデータ電極駆動回路３２の消費電力が減少する傾向にある。しかし正確には、各サブフィールドの書込み期間においてデータ電極に印加する電圧が頻繁に変化することによりデータ電極の消費電力が増加する。したがってデータ電極駆動回路３２の消費電力に大きく関与するのは表示画像の空間周波数の垂直方向の成分である。また表示画像の垂直方向の変化であっても、ステップ状の変化は１回の変化であるので消費電力はそれほど大きくならない。むしろステップ状の変化にＬＰＦ処理を施して緩やかな変化にすると、各サブフィールドの書込み期間においてデータ電極に印加する電圧の変化の回数が増加して消費電力が増加するおそれがある。
【００４９】
しかし本実施の形態におけるＬＰＦ回路４１は、電力削減に有効な空間周波数の垂直方向の成分にのみにＬＰＦ処理を施し、水平方向の成分にはＬＰＦ処理を施さない。また表示画像のステップ状の階調変化はそのまま出力する。そのため、画像表示品質の低下を抑制しつつ効果的に電力を抑制することができる。
【００５０】
混合回路４２は、混合係数設定部５６と信号混合部５７ｒ、５７ｇ、５７ｂとを有する。
【００５１】
混合係数設定部５６は、ＬＰＦ処理を施さない画像信号とＬＰＦ処理を施した画像信号とを混合する割合を決める混合係数を設定する。すなわち、混合係数設定部５６は、赤の画像信号Ｓ２０ｒと赤の画像信号Ｓ３０ｒとを混合する割合を決める混合係数Ｋｒを設定し、緑の画像信号Ｓ２０ｇと緑の画像信号Ｓ３０ｇとを混合する割合を決める混合係数Ｋｇを設定し、青の画像信号Ｓ２０ｂと青の画像信号Ｓ３０ｂとを混合する割合を決める混合係数Ｋｂを設定する。
【００５２】
信号混合部５７ｒは、画像信号Ｓ２０ｒと画像信号Ｓ３０ｒとを混合係数Ｋｒに基づき混合して画像信号Ｓ４０ｒを出力する。信号混合部５７ｇは、画像信号Ｓ２０ｇと画像信号Ｓ３０ｇとを混合係数Ｋｇに基づき混合して画像信号Ｓ４０ｇを出力する。信号混合部５７ｂは、画像信号Ｓ２０ｂと画像信号Ｓ３０ｂとを混合係数Ｋｂに基づき混合して画像信号Ｓ４０ｂを出力する。画像信号Ｓ４０ｒは、例えば、
（画像信号Ｓ４０ｒ）＝（１−Ｋｒ）×（画像信号Ｓ２０ｒ）＋Ｋｒ×（画像信号Ｓ３０ｒ）
として生成される。同様に、
（画像信号Ｓ４０ｇ）＝（１−Ｋｇ）×（画像信号Ｓ２０ｇ）＋Ｋｇ×（画像信号Ｓ３０ｇ）
（画像信号Ｓ４０ｂ）＝（１−Ｋｂ）×（画像信号Ｓ２０ｂ）＋Ｋｂ×（画像信号Ｓ３０ｂ）
である。ここで各混合係数は、０≦Ｋｒ≦１、０≦Ｋｇ≦１、０≦Ｋｂ≦１である。
【００５３】
図７は、本発明の実施の形態１におけるプラズマディスプレイ装置３０の混合係数設定部５６の回路ブロック図である。
【００５４】
混合係数設定部５６は、最大値選択部６１と、赤の画像信号の信号処理を行う最大値選択部６４ｒ、除算部６５ｒ、減算部６６ｒ、乗算部６７ｒ、係数制限部６８ｒと、緑の画像信号の信号処理を行う最大値選択部６４ｇ、除算部６５ｇ、減算部６６ｇ、乗算部６７ｇ、係数制限部６８ｇと、青の画像信号の信号処理を行う最大値選択部６４ｂ、除算部６５ｂ、減算部６６ｂ、乗算部６７ｂ、係数制限部６８ｂとを有する。
【００５５】
最大値選択部６１は、ＬＰＦ処理を施さない赤の画像信号Ｓ２０ｒと緑の画像信号Ｓ２０ｇと青の画像信号Ｓ２０ｂとを入力し、最も大きい画像信号の値を出力する。
【００５６】
赤の画像信号の信号処理を行う最大値選択部６４ｒは、ＬＰＦ処理を施さない画像信号Ｓ２０ｒとＬＰＦ処理を施した画像信号Ｓ３０ｒとを入力し、大きいほうの値を出力する。除算部６５ｒは最大値選択部６４ｒの出力を最大値選択部６１の出力で除算して、信号Ｓ３１ｒとして出力する。したがって信号Ｓ３１ｒは、最大値選択部６４ｒの出力を最大値選択部６１の出力で正規化した値である。
【００５７】
減算部６６ｒは所定の閾値Ｃ６６から信号Ｓ３１ｒを減ずる。乗算部６７ｒは減算部６６ｒの出力に所定の定数Ｃ６７を乗ずる。係数制限部６８ｒは、乗算部６７ｒの出力が混合係数の上限値を超えた場合には上限値を赤の混合係数Ｋｒとして出力し、混合係数の下限値に満たない場合には下限値を赤の混合係数Ｋｒとして出力する。それ以外の場合には乗算部６７ｒの出力を赤の混合係数Ｋｒとして出力する。
【００５８】
緑の画像信号の信号処理を行う最大値選択部６４ｇ、除算部６５ｇ、減算部６６ｇ、乗算部６７ｇ、係数制限部６８ｇについても、赤の画像信号の信号処理を行う最大値選択部６４ｒ、除算部６５ｒ、減算部６６ｒ、乗算部６７ｒ、係数制限部６８ｒと同様であるため詳細な説明を省略する。また青の画像信号の信号処理を行う最大値選択部６４ｂ、除算部６５ｂ、減算部６６ｂ、乗算部６７ｂ、係数制限部６８ｂについても同様である。こうして、混合係数設定部５６は、赤、緑、青の各色の画像信号に対して、ＬＰＦ処理を施さない画像信号とＬＰＦ処理を施した画像信号とを混合する割合を決める混合係数Ｋｒ、Ｋｇ、Ｋｂを設定する。
【００５９】
図８Ａおよび図８Ｂは、本発明の実施の形態１におけるプラズマディスプレイ装置３０の混合回路４２の動作の説明図である。図８Ａは画像信号の一例を示しており、実線はＬＰＦ処理を施さない画像信号Ｓ２０ｒ、Ｓ２０ｇ、Ｓ２０ｂを示し、破線はＬＰＦ処理を施した画像信号Ｓ３０ｒ、Ｓ３０ｇ、Ｓ３０ｂを示している。ここで横軸は時間を示し、縦軸は画像信号の大きさである表示階調を示している。また図８Ｂは除算部の出力と混合係数との関係を示す図であり、横軸は除算部６５ｒ、６５ｇ、６５ｂから出力された信号Ｓ３１ｒ、Ｓ３１ｇ、Ｓ３１ｂの大きさを示し、縦軸は混合係数Ｋｒ、Ｋｇ、Ｋｂを示している。本実施の形態においては、赤の画像信号の信号処理を行う除算部６５ｒから出力される信号Ｓ３１ｒが所定の閾値Ｃ６６よりも大きい場合にはＬＰＦ処理を施した画像信号Ｓ２０ｒの混合比が「０」となるように、混合係数Ｋｒを「０」とする。また画像信号Ｓ３１ｒが所定の閾値Ｃ６６以下の場合には、信号Ｓ３１ｒが小さいほどＬＰＦ処理を施した画像信号Ｓ２０ｒの混合比が大きくなるように混合係数Ｋｒを設定する。ただし混合係数Ｋｒが「１」を超えることがないように制限されている。緑の画像信号の信号処理を行う各回路ブロック、青の画像信号の信号処理を行う各回路ブロックについても同様である。
【００６０】
例えば、所定の閾値Ｃ６６が「０．８」、所定の定数Ｃ６７が「２」に設定されており、混合係数の上限値が「１」、下限値が「０」に設定されているとする。
【００６１】
図８Ａの時刻ｔ１において、例えば赤の画像信号Ｓ２０ｒの表示階調が「１００」、赤の画像信号Ｓ３０ｒの表示階調が「１２０」、緑の画像信号Ｓ２０ｇの表示階調が「２００」、緑の画像信号Ｓ３０ｇの表示階調が「１５０」、青の画像信号Ｓ２０ｂの表示階調が「４０」、青の画像信号Ｓ３０ｂの表示階調が「３０」であったとする。最大値選択部６１は赤の画像信号Ｓ２０ｒと緑の画像信号Ｓ２０ｇと青の画像信号Ｓ２０ｂとを比較し、最大値である緑の画像信号Ｓ２０ｇを選択して「２００」を出力する。
【００６２】
赤の画像信号の信号処理を行う最大選択部６４ｒは「１００」と「１２０」とを比較して「１２０」を出力する。除算部６５ｒは「１２０」を「２００」で除して「０．６」を信号Ｓ３１ｒとして出力する。減算部６６ｒは「０．８」から「０．６」を減じて「０．２」を出力する。乗算部６７ｒは「０．２」に「２」を乗じて「０．４」を出力する。「０．４」は混合係数の上限値を下限値との間であるので、係数制限部６８ｒは「０．４」をそのまま混合係数Ｋｒとして出力する。すると信号混合部５７ｒは、ＬＰＦ処理を施さない画像信号Ｓ２０ｒを６割、ＬＰＦ処理を施した画像信号Ｓ３０ｒを４割の割合で混合した画像信号Ｓ４０ｒを出力する。
【００６３】
緑の画像信号の信号処理を行う最大選択部６４ｇは「２００」と「１５０」とを比較して「２００」を出力する。除算部６５ｇは「２００」を「２００」で除して「１」を信号Ｓ３１ｇとして出力する。減算部６６ｇは「０．８」から「１」を減じて「−０．２」を出力する。乗算部６７ｇは「−０．２」に「２」を乗じて「−０．４」を出力する。「−０．４」は混合係数の下限値に満たないので、係数制限部６８ｇは下限値「０」を混合係数Ｋｇとして出力する。すると信号混合部５７ｇは、ＬＰＦ処理を施さない画像信号Ｓ２０ｇを画像信号Ｓ４０ｇとして出力する。
【００６４】
青の画像信号の信号処理を行う最大選択部６４ｂは「４０」と「３０」とを比較して「４０」を出力する。除算部６５ｂは「４０」を「２００」で除して「０．２」を信号Ｓ３１ｂとして出力する。減算部６６ｂは「０．８」から「０．２」を減じて「０．６」を出力する。乗算部６７ｂは「０．６」に「２」を乗じて「１．２」を出力する。「１．２」は混合係数の上限値を超えているので、係数制限部６８ｂは上限値「１」を混合係数Ｋｂとして出力する。すると信号混合部５７ｂは、ＬＰＦ処理を施した画像信号Ｓ３０ｂを画像信号Ｓ４０ｂとして出力する。
【００６５】
このようにして画像信号処理回路３１は、赤の画像信号、緑の画像信号、青の画像信号のうち、最も表示階調の高い色の画像信号に対しては画像表示品質を優先してＬＰＦ処理を施さない。それ以外の色の画像信号に対しては、最も表示階調の高い色の画像信号で正規化した値が大きい場合には、画像表示品質を優先してＬＰＦ処理を施した画像信号の混合比を減らし、最も表示階調の高い色の画像信号で正規化した値が小さい場合にはＬＰＦ処理による画像表示品質の変化が視認しにくいので、消費電力の抑制を優先してＬＰＦ処理を施した画像信号の混合比を増やしている。
【００６６】
なお本実施の形態においては、混合係数の上限値を「１」、下限値を「０」としたが、上限値および下限値はこれらの値に限定されるものではなく、プラズマディスプレイ装置の仕様等に基づき、最適な値に設定することが望ましい。
【００６７】
（実施の形態２）
実施の形態２におけるプラズマディスプレイ装置３０に用いるパネル１０および駆動回路の回路ブロックは実施の形態１と同じである。実施の形態２が実施の形態１と異なるところは混合係数設定部５６である。
【００６８】
図９は、本発明の実施の形態２におけるプラズマディスプレイ装置３０の混合係数設定部５６の回路ブロック図である。
【００６９】
混合係数設定部５６は、最大値選択部８１と、赤の画像信号の信号処理を行う差分算出部８４ｒ、除算部８５ｒ、減算部８６ｒ、乗算部８７ｒ、係数制限部８８ｒと、緑の画像信号の信号処理を行う差分算出部８４ｇ、除算部８５ｇ、減算部８６ｇ、乗算部８７ｇ、係数制限部８８ｇと、青の画像信号の信号処理を行う差分算出部８４ｂ、除算部８５ｂ、減算部８６ｂ、乗算部８７ｂ、係数制限部８８ｂとを有する。
【００７０】
赤の画像信号の信号処理を行う差分算出部８４ｒは、ＬＰＦ処理を施さない画像信号Ｓ２０ｒとＬＰＦ処理を施した画像信号Ｓ３０ｒとを入力し、その差の絶対値を出力する。緑の画像信号の信号処理を行う差分算出部８４ｇは、ＬＰＦ処理を施さない画像信号Ｓ２０ｇとＬＰＦ処理を施した画像信号Ｓ３０ｇとを入力し、その差の絶対値を出力する。青の画像信号の信号処理を行う差分算出部８４ｂは、ＬＰＦ処理を施さない画像信号Ｓ２０ｂとＬＰＦ処理を施した画像信号Ｓ３０ｂとを入力し、その差の絶対値を出力する。最大値選択部８１は、差分算出部８４ｒの出力と差分算出部８４ｇの出力と差分算出部８４ｂの出力とを入力し、最も大きい値を出力する。
【００７１】
赤の画像信号の信号処理を行う除算部８５ｒは差分算出部８４ｒの出力を最大値選択部８１の出力で除算して、信号Ｓ３３ｒとして出力する。したがって信号Ｓ３３ｒは、差分算出部８４ｒの出力を最大値選択部８１の出力で正規化した値である。
【００７２】
減算部８６ｒは所定の閾値Ｃ８６から信号Ｓ３３ｒを減ずる。乗算部８７ｒは減算部８６ｒの出力に所定の定数Ｃ８７を乗ずる。係数制限部８８ｒは、乗算部８７ｒの出力が混合係数の上限値を超えた場合には上限値を赤の混合係数Ｋｒとして出力し、混合係数の下限値に満たない場合には下限値を赤の混合係数Ｋｒとして出力する。それ以外の場合には乗算部８７ｒの出力を赤の混合係数Ｋｒとして出力する。
【００７３】
緑の画像信号の信号処理を行う除算部８５ｇ、減算部８６ｇ、乗算部８７ｇ、係数制限部８８ｇについても、赤の画像信号の信号処理を行う除算部８５ｒ、減算部８６ｒ、乗算部８７ｒ、係数制限部８８ｒと同様であるため詳細な説明を省略する。また青の画像信号の信号処理を行う除算部８５ｂ、減算部８６ｂ、乗算部８７ｂ、係数制限部８８ｂについても同様である。こうして、混合係数設定部５６は、赤、緑、青の各色の画像信号に対して、ＬＰＦ処理を施さない画像信号とＬＰＦ処理を施した画像信号とを混合する割合を決める混合係数Ｋｒ、Ｋｇ、Ｋｂを設定する。
【００７４】
図１０Ａおよび図１０Ｂは、本発明の実施の形態２におけるプラズマディスプレイ装置３０の混合回路４２の動作の説明図である。図１０Ａは画像信号の一例を示しており、実線はＬＰＦ処理を施さない画像信号Ｓ２０ｒ、Ｓ２０ｇ、Ｓ２０ｂを示し、破線はＬＰＦ処理を施した画像信号Ｓ３０ｒ、Ｓ３０ｇ、Ｓ３０ｂを示している。ここで横軸は時間を示し、縦軸は画像信号の大きさである表示階調を示している。また図１０Ｂは除算部の出力と混合係数との関係を示す図であり、横軸は除算部６５ｒ、６５ｇ、６５ｂから出力された信号Ｓ３３ｒ、Ｓ３３ｇ、Ｓ３３ｂの大きさを示し、縦軸は混合係数Ｋｒ、Ｋｇ、Ｋｂを示している。本実施の形態においては、赤の画像信号の信号処理を行う除算部８５ｒから出力される信号Ｓ３３ｒが所定の閾値Ｃ８６よりも大きい場合にはＬＰＦ処理を施した画像信号Ｓ２０ｒの混合比が「０」となるように、混合係数Ｋｒを「０」とする。また画像信号Ｓ３３ｒが所定の閾値Ｃ８６以下の場合には、信号Ｓ３３ｒが小さいほどＬＰＦ処理を施した画像信号Ｓ２０ｒの混合比が大きくなるように混合係数Ｋｒを設定する。ただし混合係数Ｋｒが「１」を超えることがないように制限されている。緑の画像信号の信号処理を行う各回路ブロック、青の画像信号の信号処理を行う各回路ブロックについても同様である。
【００７５】
例えば、所定の閾値Ｃ８６が「０．８」、所定の定数Ｃ８７が「２」に設定されており、混合係数の上限値が「１」、下限値が「０」に設定されているとする。
【００７６】
図１０Ａの時刻ｔ１において、例えば赤の画像信号Ｓ２０ｒの表示階調が「２００」、赤の画像信号Ｓ３０ｒの表示階調が「１５０」、緑の画像信号Ｓ２０ｇの表示階調が「１２０」、緑の画像信号Ｓ３０ｇの表示階調が「１４０」、青の画像信号Ｓ２０ｂの表示階調が「５」、青の画像信号Ｓ３０ｂの表示階調が「１０」であったとする。
【００７７】
赤の画像信号の信号処理を行う差分算出回路８４ｒは「２００」と「１５０」の差分値「５０」を出力し、緑の画像信号の信号処理を行う差分算出回路８４ｇは「１２０」と「１４０」の差分値「２０」を出力し、青の画像信号の信号処理を行う差分算出回路８４ｂは「５」と「１０」の差分値「５」を出力する。最大値選択部８１は差分算出回路８４ｒの出力と差分算出回路８４ｇの出力と差分算出回路８４ｂの出力とを比較し、最大値である「５０」を出力する。
【００７８】
赤の画像信号の信号処理を行う除算部８５ｒは「５０」を「５０」で除して「１．０」を信号Ｓ３３ｒとして出力する。減算部８６ｒは「０．８」から「１．０」を減じて「−０．２」を出力する。乗算部８７ｒは「−０．２」に「２」を乗じて「−０．４」を出力する。「−０．４」は混合係数の下限値に満たないので、係数制限部８８ｒは下限値「０」を混合係数Ｋｒとして出力する。すると信号混合部５７ｒは、ＬＰＦ処理を施さない画像信号Ｓ２０ｒを画像信号Ｓ４０ｒとして出力する。
【００７９】
緑の画像信号の信号処理を行う除算部８５ｇは「２０」を「５０」で除して「０．４」を信号Ｓ３３ｇとして出力する。減算部８６ｇは「０．８」から「０．４」を減じて「０．４」を出力する。乗算部８７ｇは「０．４」に「２」を乗じて「０．８」を出力する。「０．８」は混合係数の上限値を下限値との間であるので、係数制限部８８ｇは「０．８」をそのまま混合係数Ｋｇとして出力する。すると信号混合部５７ｇは、ＬＰＦ処理を施さない画像信号Ｓ２０ｇを２割、ＬＰＦ処理を施した画像信号Ｓ３０ｒを８割の割合で混合した画像信号Ｓ４０ｇを出力する。
【００８０】
青の画像信号の信号処理を行う除算部８５ｂは「５」を「５０」で除して「０．１」を信号Ｓ３３ｂとして出力する。減算部８６ｂは「０．８」から「０．１」を減じて「０．７」を出力する。乗算部８７ｂは「０．７」に「２」を乗じて「１．４」を出力する。「１．４」は混合係数の上限値を超えているので、係数制限部８８ｂは上限値「１」を混合係数Ｋｂとして出力する。すると信号混合部５７ｂは、ＬＰＦ処理を施した画像信号Ｓ３０ｂを画像信号Ｓ４０ｂとして出力する。
【００８１】
これにより、垂直方向の空間周波数成分の高い領域であっても、赤の画像信号、緑の画像信号、青の画像信号のうち、その高周波成分の振幅が最も大きい色の画像信号に対しては重要なディテールであると判断してＬＰＦ処理を施さない。それ以外の色の画像信号に対しては、振幅が最も大きい色の画像信号で正規化した振幅の値が大きい場合には、画像表示品質を優先してＬＰＦ処理を施した画像信号の混合比を減らし、振幅が最も大きい色の画像信号で正規化した振幅の値が小さい場合には重要なディテールではないと判断して、消費電力の抑制を優先してＬＰＦ処理を施した画像信号の混合比を増やしている。
【００８２】
なお、実施の形態１、２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００８３】
本発明は、画像表示品質を犠牲にすることなくデータ電極駆動回路の消費電力を削減することができ、プラズマディスプレイ装置として有用である。
【符号の説明】
【００８４】
１０    パネル
１２    走査電極
１３    維持電極
１４    表示電極対
２２    データ電極
２５Ｒ    赤色に発光する蛍光体層
２５Ｇ    緑色に発光する蛍光体層
２５Ｂ    青色に発光する蛍光体層
３０    プラズマディスプレイ装置
３１    画像信号処理回路
３２    データ電極駆動回路
３３    走査電極駆動回路
３４    維持電極駆動回路
３５    タイミング発生回路
４１    ＬＰＦ回路
４２    混合回路
４３    画像データ変換回路
５１ｒ，５２ｒ，５１ｇ，５２ｇ，５１ｂ，５２ｂ    １Ｈ遅延部
５３ｒ，５３ｇ，５３ｂ    中央値選択部
５４ｒ，５４ｇ，５４ｂ    平均算出部
５６    混合係数設定部
５７ｒ，５７ｇ，５７ｂ    信号混合部
６１，６４ｒ，６４ｇ，６４ｂ，８１    最大値選択部
６５ｒ，６５ｇ，６５ｂ，８５ｒ，８５ｇ，８５ｂ    除算部
６６ｒ，６６ｇ，６６ｂ，８６ｒ，８６ｇ，８６ｂ    減算部
６７ｒ，６７ｇ，６７ｂ，８７ｒ，８７ｇ，８７ｂ    乗算部
６８ｒ，６８ｇ，６８ｂ，８８ｒ，８８ｇ，８８ｂ    係数制限部
８４ｒ，８４ｇ，８４ｂ    差分算出部
【図１】
2011145429.tif 000003
【図２】
2011145429.tif 000004
【図３】
2011145429.tif 000005
【図４】
2011145429.tif 000006
【図５】
2011145429.tif 000007
【図６】
2011145429.tif 000008
【図７】
2011145429.tif 000009
【図８Ａ】
2011145429.tif 000010
【図８Ｂ】
2011145429.tif 000011
【図９】
2011145429.tif 000012
【図１０Ａ】
2011145429.tif 000013
【図１０Ｂ】
2011145429.tif 000014